(57)【特許請求の範囲】
【請求項１】
上部区画と下部区画とに分割され、上部区画内に横方向に互いに隣接して複数の重力落下式商品収納部が配設され、下部区画内に、上下に互いに間隔を隔てて積層された複数の商品棚と昇降搬送装置と商品棚から昇降搬送装置へ商品を払い出す商品払出装置とを有する棚式商品収納部が配設された商品収納庫と、商品収納庫の側壁を形成する中扉と、中扉に対峙して配設された外扉とを備え、外扉の高さ方向中央部且つ横方向中央部に商品取出口が配設され、重力落下式商品収納部から排出された商品を商品取出口へ案内する商品案内シュートが２本互いに向かい合って配設され、一方の商品案内シュートが中扉に取り付けられ、他方の商品案内シュートが外扉に取り付けられていることを特徴とする自動販売機。
【発明の詳細な説明】
【０００１】
【発明の属する技術分野】
本発明はビン飲料、缶飲料、ペットボトル飲料等の自動販売機に関するものである。
【０００２】
【従来の技術】
本願の出願人は、特願平８−２４８０５５号において、上部区画と下部区画とに分割され、上部区画内に横方向に互いに隣接して複数の重力落下式商品収納部が配設され、下部区画内に、上下に互いに間隔を隔てて積層された複数の商品棚と昇降搬送装置と商品棚から昇降搬送装置へ商品を払い出す商品払出装置とを有する棚式商品収納部が配設された商品収納庫と、商品収納庫の側壁を形成する中扉と、中扉に対峙して配設された外扉とを備え、外扉の高さ方向中央部且つ横方向中央部に商品取出口が配設され、重力落下式商品収納部から排出された商品を商品取出口へ案内する商品案内シュートが２本互いに向かい合って配設された自動販売機を提案した。
上記自動販売機においては、重力落下式商品収納部から排出された商品は、商品案内シュート上を滑って商品取出口へ搬送され、棚式商品収納部の商品棚から払い出された商品は、昇降搬送装置によって商品取出口へ搬送される。
【０００３】
【発明が解決しようとする課題】
上記自動販売機においては、２本の商品案内シュートは、自動販売機の高さ方向中央部に配設されることになるが、該２本の商品案内シュートを従来の自動販売機と同様に外扉に取り付けると、外扉の高さ方向中央部の一方の側方には金銭処理機が取り付けられるので、２本の商品案内シュートの一方が、金銭処理機と干渉するという問題を生ずる。
本発明は上記問題に鑑みてなされたものであり、上部区画と下部区画とに分割され、上部区画内に横方向に互いに隣接して複数の重力落下式商品収納部が配設され、下部区画内に、上下に互いに間隔を隔てて積層された複数の商品棚と昇降搬送装置と商品棚から昇降搬送装置へ商品を払い出す商品払出装置とを有する棚式商品収納部が配設された商品収納庫と、商品収納庫の側壁を形成する中扉と、中扉に対峙して配設された外扉とを備え、外扉の高さ方向中央部且つ横方向中央部に商品取出口が配設され、重力落下式商品収納部から排出された商品を商品取出口へ案内する商品案内シュートが２本互いに向かい合って配設された自動販売機であって、商品案内シュートと外扉に取り付けられる金銭処理機とが干渉しない自動販売機を提供することを目的とする。
【０００４】
【課題を解決するための手段】
上記課題を解決するために、本発明においては、上部区画と下部区画とに分割され、上部区画内に横方向に互いに隣接して複数の重力落下式商品収納部が配設され、下部区画内に、上下に互いに間隔を隔てて積層された複数の商品棚と昇降搬送装置と商品棚から昇降搬送装置へ商品を払い出す商品払出装置とを有する棚式商品収納部が配設された商品収納庫と、商品収納庫の側壁を形成する中扉と、中扉に対峙して配設された外扉とを備え、外扉の高さ方向中央部且つ横方向中央部に商品取出口が配設され、重力落下式商品収納部から排出された商品を商品取出口へ案内する商品案内シュートが２本互いに向かい合って配設され、一方の商品案内シュートが中扉に取り付けられ、他方の商品案内シュートが外扉に取り付けられていることを特徴とする自動販売機を提供する。
本発明に係る自動販売機においては、２本の商品案内シュートの中の一方を中扉に取り付けることにより、商品案内シュートと外扉に取り付けられる金銭処理機との干渉を回避した。
【０００５】
【発明の実施の形態】
本発明の実施例に係る自動販売機を図１〜４に基づいて説明する。以降の説明において、図１〜４の矢印Ｉ、ＩＩ、ＩＩＩ、ＩＶ、Ｖ、ＶＩの方向をそれぞれ前方、後方、左方、右方、上方、下方と呼ぶ。
図１、２に示すように、自動販売機１は断熱壁２で囲われた商品収納庫３を備えている。商品収納庫３は断熱壁４によって上部区画３ａと下部区画３ｂとに分割されている。
上部区画３ａは断熱壁５によって右方の大区画３ａ1 と左方の小区画３ａ2 とに分割されている。大区画３ａ1 内に、蛇行するサーペンタインコラムを有する重力落下式商品収納部６が、左右に互いに間隔を隔てて４列配設されている。小区画３ａ2 内に、サーペンタインコラムを有する重力落下式商品収納部６が、左右に互いに間隔を隔てて２列配設されている。大区画３ａ1 内と、小区画３ａ2 内とにそれぞれ、冷却器７と、ヒータ８とが配設されている。重力落下式商品収納部６には、定形のビン飲料、缶飲料１００が収納されている。
【０００６】
大区画３ａ1 内に且つ各重力落下式商品収納部６の下方に、前方へ向かって下方へ傾斜した商品排出シュート９が配設され、各商品排出シュート９の下端即ち前端に対峙して、断熱壁２で構成された商品収納庫３の前側壁、すなわち自動販売機の中扉２ａに商品排出口１０が形成されている。小区画３ａ2 内に且つ二つの重力落下式商品収納部６の下方に、前方へ向かって下方へ傾斜した商品排出シュート１１が配設され、商品排出シュート１１の下端即ち前端に対峙して、中扉２ａに商品排出口１２が形成されている。
【０００７】
図２、３に示すように、商品収納庫３の外側に、且つ商品排出口１０、１２の下方に、且つ複数の商品排出口に対峙して、二つの傾斜した商品案内シュート１３ａ、１３ｂが互いに向き合って配設されている。商品案内シュート１３ａ、１３ｂの下端に対峙して、商品案内シュート１３ａ、１３ｂの下端の下方に、商品受部１４が配設されている。商品受け部１４に対峙して自動販売機の外扉１５の高さ方向中央部且つ左右方向中央部に商品取出口１６が形成されている。
図４に示すように、右方の商品案内シュート１３ａは外扉１５の右半部分の高さ方向中央部に取り付けられ、左方の商品案内シュート１３ｂは中扉２ａの左半部分の高さ方向中央部に取り付けられている。商品受け部１４は外扉１５の左右方向中央部の高さ方向中央部に取り付けられている。
外扉１５の左半部分には、高さ方向中央部に金銭処理機αが取り付けられ、金銭処理機αの下方に、金庫βが取り付けられている。
【０００８】
図１、２に示すように、商品収納庫３の下部区画３ｂの右半部分内と左半部分内に、それぞれ、上下に互いに間隔を隔てて積層され、下部区画３ｂの左右方向中央部へ向かって下方ヘ傾斜した複数の商品棚１７が配設されている。下部区画３ｂの左右方向中央部に、昇降搬送装置１８が配設されている。昇降搬送装置１８は、商品棚１７の下縁に沿って前方ヘ商品を搬送する図示しないベルトコンベヤ、ローラーコンベヤ、揺動板等の横方向搬送装置を有している。各商品棚１７の下縁部と昇降搬送装置１８とには、例えば実開平３−６６４７７号、特開平４−２８２７９７号、実開平１−１４７４８３号等に開示されているような商品払出装置が取り付けられている。商品棚１７と昇降搬送装置１８と商品払出装置とにより、棚式商品収納部１９が構成されている。棚式商品収納部１９の各商品棚１７には、直径や長さの異なる不定形のペットボトル飲料２００が、前後方向に互いに間隔を隔てて４列載置されている。前述の商品払出装置は、４列の商品列の各々に対して各一つ取り付けられている。
商品収納庫３の下部区画３ｂ内に、冷却器２０が配設されている。
図２、３に示すように、中扉２ａの高さ方向中央部且つ左右方向中央部に、昇降搬送装置１８に対峙して、商品排出口２１が形成されている。商品排出口２１は、商品受部１４の上方に位置決めされている。
冷却器７、２０に冷媒を供給するための機械部２２が、商品収納庫３の下方に配設されている。
【０００９】
上記構成を有する本実施例に係る自動販売機の作動を以下に説明する。
大区画３ａ1 内に配設された冷却器７と、小区画３ａ2 内に配設されたヒータ８と、下部区画３ｂ内に配設された冷却器２０とが作動している。
ユーザーが図示しない商品選択ボタンを押して、冷却されたビン飲料、缶飲料１００を選択すると、大区画３ａ1 内の重力落下式商品収納部６の何れかから、所望の冷却されたビン飲料、缶飲料１００が排出され、商品排出シュート９と商品排出口１０と商品案内シュート１３ａとを通って、商品受部１４へ搬出される。ユーザーは、商品取出口１６を介して、所望の冷却されたビン飲料、缶飲料１００を取り出す。
ユーザーが図示しない商品選択ボタンを押して、加温されたビン飲料、缶飲料１００を選択すると、小区画３ａ2 内の重力落下式商品収納部６の何れかから、所望の加温されたビン飲料、缶飲料１００が排出され、商品排出シュート１１と商品排出口１２と商品案内シュート１３ｂとを通って、商品受部１４へ搬出される。ユーザーは、商品取出口１６を介して、所望の加温されたビン飲料、缶飲料１００を取り出す。
ユーザーが図示しない商品選択ボタンを押して、冷却されたペットボトル飲料２００を選択すると、下部区画３ｂ内の棚式商品収納部１９の何れかの商品棚１７の何れかの商品列から所望の冷却されたペットボトル飲料２００が排出され、昇降搬送装置１８により商品排出口２１と同一高さまで搬送され、横方向搬送装置により前方へ搬送され、商品排出口２１を通って、商品受部１４へ搬出される。ユーザーは、商品取出口１６を介して、所望の冷却されたペットボトル飲料２００を取り出す。
【００１０】
棚式商品収納部１９は直径や長さの異なる不定形のペットボトル飲料２００を収納するのに適しており、重力落下式商品収納部６は定形のビン飲料、缶飲料１００を収納するのに適している。棚式商品収納部１９が配設された下部区画３ｂ内には冷却器２０が配設され、重力落下式商品収納部６が配設された上部区画内３ａ内には冷却器７とヒータ８とが配設されているので、本自動販売機は、冷却した不定形のペットボトル飲料２００と、冷却又は加温した定形のビン飲料、缶飲料１００とを同時に販売することができる。
【００１１】
上部区画３ａを右方の大区画３ａ1 と左方の小区画３ａ2 とに分割し、大区画３ａ1 と小区画３ａ2 とに冷却器７とヒータ８とを配設したので、本自動販売機は、冷却した不定形のペットボトル飲料２００と、冷却した定形のビン飲料、缶飲料１００と、加温した定形のビン飲料、缶飲料１００とを同時に販売することができる。また、冷却する区画と、加温する区画とを互いに交代させることにより、或いは両区画とも冷却し或いは加温することにより、冷却した定形のビン飲料、缶飲料１００と、加温した定形のビン飲料、缶飲料１００の数量比を可変とすることができる。この結果、季節に応じて、或いは地域に応じて、ユーザーの要望により良く沿ったサービスの提供が可能となる。
【００１２】
上部区画３ａ内に重力落下式商品収納部６を配設すると共に各重力落下式商品収納部６からの商品排出経路を商品案内シュート１３を介して集約し、下部区画３ｂ内に棚式商品収納部１９を配設したので、外扉１５の高さ方向中央部且つ左右方向中央部に設けた単一の商品取出口１６を介して、商品収納庫内の全ての商品を取り出すことが可能である。
【００１３】
外扉１５に取り付けても外扉１５の左半部分の高さ方向中央部に取り付けられる金銭処理機αと干渉しない右側の商品案内シュート１３ａは従来通り外扉１５に取り付け、外扉１５に取り付けると金銭処理機αと干渉する左側の商品案内シュート１３ｂは中扉２ａに取り付けたので、商品案内シュートと外扉１５に取り付けられる金銭処理機αとの干渉が回避された。
【００１４】
【発明の効果】
以上説明したごとく、本発明に係る自動販売機においては、２本の商品案内シュートの中の一方を中扉に取り付けることにより、商品案内シュートと外扉に取り付けられる金銭処理機との干渉を回避した。
【図面の簡単な説明】
【図１】本発明の実施例に係る自動販売機の、外扉と商品格納庫の前側壁とを取り去った正面図である。
【図２】図１のａ−ａ矢視図である。
【図３】図２のｂ−ｂ矢視図である。
【図４】本発明の実施例に係る自動販売機の、外扉と中扉とを開いた状態での斜視図である。
【符号の説明】
１  自動販売機
２、４、５  断熱壁
２ａ  中扉
３  商品収納庫
３ａ  上部区画
３ａ1   大区画
３ａ2   小区画
６  重力落下式商品収納部
７、２０  冷却器
８  ヒータ
９、１１  商品排出シュート
１０、１２、２１  商品排出口
１３ａ、１３ｂ  商品案内シュート
１４  商品受部
１５  外扉
１７  商品棚
１８  昇降搬送装置
１９  棚式商品収納部
２２  機械部
α  金銭処理機
β  金庫
【図１】
0003769349.tif 000002
【図２】
0003769349.tif 000003
【図３】
0003769349.tif 000004
【図４】
0003769349.tif 000005